(57)【要約】【課題】通常コードレス電話機が故障した場合に代替用コードレス電話機の使用可能とするには非常に手間がかかる。【解決手段】複数のコードレス電話機１０と、これら複数のコードレス電話機を収容接続する無線基地局２０と、コードレス電話機毎にコードレス電話機を識別する電話機識別番号を記憶すると共に、通常コードレス電話機の場合には、電話機識別番号に対応づけて呼設定データを記憶する構内交換機３０のメモリ部３３と、この構内交換機全体を制御する中央制御装置３４とを有し、中央制御装置は、代替用コードレス電話機１０Ｂからの特定ダイヤル操作を検出すると、通常コードレス電話機の呼設定データを代替用コードレス電話機の電話機識別番号に対応づけて移管記憶するようにメモリ部を制御することで、代替用コードレス電話機は、通話接続することが可能となる。【選択図】　図１
2004023390.tif 000002
【特許請求の範囲】
【請求項１】
複数のコードレス電話機と、これら複数のコードレス電話機を収容接続する無線基地局と、コードレス電話機毎にコードレス電話機を識別する電話機識別番号を記憶すると共に、前記無線基地局と通話接続可能なコードレス電話機の場合には、前記電話機識別番号に対応づけて呼設定データを記憶する記憶手段とを有するコードレス電話システムであって、
前記複数のコードレス電話機の内、前記無線基地局と通話接続不可能なコードレス電話機からの特番を検出した後、前記通話接続不可能なコードレス電話機から移管対象の通話接続可能なコードレス電話機を特定する特定番号を検出する特定番号検出手段と、
この特定番号検出手段にて前記特定番号を検出したと判定されると、この特定番号に対応した通話接続可能なコードレス電話機の電話機識別番号を前記記憶手段から検索する検索手段と、
この検索手段にて移管対象の通話接続可能なコードレス電話機の電話機識別番号が検索されると、この電話機識別番号に対応した呼設定データを前記記憶手段から読み出し、この呼設定データを、前記特番を発信したコードレス電話機の電話機識別番号に対応づけて移管記憶するように前記記憶手段を制御することで、前記特番を発信した通話接続不可能なコードレス電話機を通話接続可能にする制御手段とを有することを特徴とするコードレス電話システム。
【請求項２】
前記特定番号は、
前記呼設定データに含まれるダイヤル識別番号であることを特徴とする請求項１記載のコードレス電話システム。
【発明の詳細な説明】
【０００１】
【発明の属する技術分野】
本発明は、複数のコードレス電話機と無線接続する無線基地局と、この無線基地局を収容接続する構内交換機とで構成するコードレス電話システムに関する。
【０００２】
【従来の技術】
従来、このようなコードレス電話システムは、複数のコードレス電話機と、これら複数のコードレス電話機を無線接続する無線基地局と、この無線基地局を収容接続する構内交換機とを有し、この構内交換機では、コードレス電話機毎に、例えばダイヤル識別番号等の呼制御データを記憶管理している。
【０００３】
このような従来のコードレス電話システムによれば、構内交換機側のメモリ部にコードレス電話機毎の呼制御データを記憶管理しているので、構内交換機側では無線基地局を通じてコードレス電話機と通話接続可能としている。
【０００４】
また、このようなコードレス電話システムによれば、例えばコードレス電話機が故障又は紛失した場合、ユーザは、そのコードレス電話機が修理又は見つかるまで使用することができないことから、このシステムの保守管理人に依頼して、その構内交換機のメモリ部上で故障又は紛失したコードレス電話機の呼制御データを代替用コードレス電話機に移管することで、ユーザは、そのコードレス電話機が修理又は見つかるまで、代替用コードレス電話機を通話に使用することができる。
【０００５】
【発明が解決しようとする課題】
しかしながら、上記従来のコードレス電話システムによれば、例えばコードレス電話機が故障又は紛失した場合、そのコードレス電話機が修理又は見つかるまで、そのユーザは代替用コードレス電話機を使用することができるが、その代替用コードレス電話機を使用可能とするためには、そのユーザがシステムの保守管理人に依頼することで、この保守管理人は、構内交換機のメモリ部上で故障又は紛失したコードレス電話機の呼制御データを代替用コードレス電話機に移管する作業が必要であることから、その移管作業は手間がかかる。
【０００６】
本発明は上記点に鑑みてなされたものであり、その目的とするところは、例えばコードレス電話機が紛失又は故障したとしても、保守管理人の作業を必要とすることなく、ユーザ側の簡単な操作で代替用コードレス電話機を使用することできるコードレス電話システムを提供することにある。
【０００７】
【課題を解決するための手段】
上記目的を達成するために本発明のコードレス電話システムは、複数のコードレス電話機と、これら複数のコードレス電話機を収容接続する無線基地局と、コードレス電話機毎にコードレス電話機を識別する電話機識別番号を記憶すると共に、前記無線基地局と通話接続可能なコードレス電話機の場合には、前記電話機識別番号に対応づけて呼設定データを記憶する記憶手段とを有するコードレス電話システムであって、前記複数のコードレス電話機の内、前記無線基地局と通話接続不可能なコードレス電話機からの特番を検出した後、前記通話接続不可能なコードレス電話機から移管対象の通話接続可能なコードレス電話機を特定する特定番号を検出する特定番号検出手段と、この特定番号検出手段にて前記特定番号を検出したと判定されると、この特定番号に対応した通話接続可能なコードレス電話機の電話機識別番号を前記記憶手段から検索する検索手段と、この検索手段にて移管対象の通話接続可能なコードレス電話機の電話機識別番号が検索されると、この電話機識別番号に対応した呼設定データを前記記憶手段から読み出し、この呼設定データを、前記特番を発信したコードレス電話機の電話機識別番号に対応づけて移管記憶するように前記記憶手段を制御することで、前記特番を発信した通話接続不可能なコードレス電話機を通話接続可能にする制御手段とを有するようにした。
【０００８】
従って、本発明のコードレス電話システムによれば、通話接続不可能なコードレス電話機からの特番及び移管対象の特定番号を検出すると、この特定番号に対応した通話接続可能なコードレス電話機の電話機識別番号を記憶手段から検索し、この検索した電話機識別番号に対応する呼設定データを読み出し、この呼設定データを、前記特番を発信した通話接続不可能なコードレス電話機の電話機識別番号に対応づけて移管記憶することで、前記特番発信した通話接続不可能なコードレス電話機を通話接続可能としたので、例えば通話接続可能なコードレス電話機が故障又は紛失したとしても、通話接続不可能なコードレス電話機、例えば代替用コードレス電話機から特番及び移管対象の特定番号を入力する簡単なダイヤル操作で、紛失又は故障したコードレス電話機の代りに、代替用コードレス電話機を使用することができる。
【０００９】
さらに本発明のコードレス電話システムによれば、移管対象の通話接続可能なコードレス電話機の呼設定データを、前記特番を発信したコードレス電話機の電話機識別番号に対応づけて移管記憶するようにしたので、移管対象のコードレス電話機と同一の呼設定内容で代替用コードレス電話機を使用することができる。
【００１０】
【発明の実施の形態】
以下、図面に基づいて本発明における実施の形態を示すコードレス電話システムについて説明する。図１は本実施の形態を示すコードレス電話システム内部の概略構成を示すブロック図である。
【００１１】
図１に示すコードレス電話システム１は、複数のコードレス電話機１０と、これら複数のコードレス電話機１０と無線接続する無線基地局２０と、この無線基地局２０を収容接続する構内交換機３０とを有している。
【００１２】
構内交換機３０は、無線基地局２０とのインタフェースを司る無線基地局インタフェース（ＤＲＩＦ）３１と、通話路を形成する通話路スイッチ３２と、交換動作プログラム等の各種プログラム、呼制御データ及び局データ等の様々な情報を記憶するメモリ部（ＭＥＭ）３３と、この構内交換機３０全体を制御する中央制御装置（ＣＰＥ）３４とを有している。
【００１３】
コードレス電話機１０は、通常使用する通常コードレス電話機１０Ａと、通常使用できない代替用コードレス電話機１０Ｂとを有し、通常コードレス電話機１０Ａは無線基地局２０と通話接続可能であるのに対し、代替用コードレス電話機１０Ｂは、通常、無線基地局２０と通話接続不可能としている。尚、代替用コードレス電話機１０Ｂは、例えば通常コードレス電話機１０Ａが紛失又は故障した場合に後述するダイヤル操作で通話に使用することができるようになる。
【００１４】
また、メモリ部３３は、コードレス電話機１０毎の呼制御データと、代替用コードレス電話機を使用可にする移管設定用特番や移管設定用暗号番号等とが記憶されている。
【００１５】
図２（ａ）はコードレス電話機１０の呼制御データのデータ内容を示す説明図、図２（ｂ）は通常コードレス電話機１０Ａの呼制御データのデータ内容を示す説明図、図２（ｃ）は代替用コードレス電話機１０Ｂの呼制御データのデータ内容を示す説明図である。
【００１６】
図２において呼制御データ１００は、コードレス電話機１０毎に付与され、コードレス電話機１０を識別する電話機識別番号１０１と、無線基地局２０との通話接続に必要なダイヤル識別番号等のデータを含む呼設定データ１１０とを有している。
【００１７】
呼設定データ１１０は、無線基地局２０との通話接続に必要なダイヤル識別番号１１１と、公衆網等への発信接続を制限する接続クラス１１２と、短縮ダイヤル内容１１３等とを有している。
【００１８】
通常コードレス電話機１０Ａの呼制御データ１００Ａには、図２（ｂ）に示すように電話機識別番号１０１の他に呼設定データ１１０が含まれていることから、通話接続は可能となっている。これに対して、代替用コードレス電話機１０Ｂの呼制御データ１１０Ｂには、図２（ｃ）に示すように電話機識別番号１０１のみで、呼設定データ１１０が含まれていないことから、通話接続は不可能となっている。
【００１９】
図３は構内交換機３０内の中央制御装置３４内部の概略構成を示すブロック図である。
【００２０】
図３において中央制御装置３４は、通常コードレス電話機１０Ａから代替用コードレス電話機１０Ｂを使用可能にするための移管設定用特番を、この代替用コードレス電話機１０Ｂから検出したか否かを判定する特番判定部４１と、この特番判定部４１にて代替用コードレス電話機１０Ｂから移管設定用特番を検出したと判定されると、移管設定用暗証番号が設定済みの場合には、代替用コードレス電話機１０Ｂからの暗証番号を検出し、この暗証番号が移管設定用暗証番号と合致しているか否かを判定する暗証番号判定部４２と、この暗証番号判定部４２にて暗証番号が合致していると判定されると、移管対象の通常コードレス電話機１０Ａを特定するダイヤル識別番号を、代替用コードレス電話機１０Ｂから検出するダイヤル識別番号検出部４３と、このダイヤル識別番号検出部４３にてダイヤル識別番号を検出すると、このダイヤル識別番号をメモリ部３３から検索するダイヤル識別番号検索部４４と、このダイヤル識別番号検索部４４にて同一のダイヤル識別番号が検索されると、この同一ダイヤル識別番号の呼設定データをメモリ部３３から読み出し、この呼設定データを代替用コードレス電話機１０Ｂに移管すべく、この呼設定データを代替用コードレス電話機１０Ｂの電話機識別番号に対応づけて移管記憶するようにメモリ部３３を制御する制御部４５とを有している。
【００２１】
また、ダイヤル識別番号検出部４３は、移管設定用暗証番号が未設定の場合、暗証番号判定部４２を経ることなく、代替用コードレス電話機１０Ｂから移管対象の通常コードレス電話機１０Ａを特定するダイヤル識別番号を検出するものである。
【００２２】
尚、請求項記載の通話接続可能なコードレス電話機は通常コードレス電話機１０Ａ、通話接続不可能なコードレス電話機は代替用コードレス電話機１０Ｂ、記憶手段はメモリ部３３、特定番号検出手段は特番判定部４１及びダイヤル識別番号検出部４３、検索手段はダイヤル識別番号検索部４４、制御手段は制御部４５に相当するものである。
【００２３】
次に本実施の形態を示すコードレス電話システム１の動作について説明する。図４は本実施の形態に関わる呼設定データ移管処理に関わる中央制御装置３４の処理動作を示すフローチャートである。
【００２４】
図４に示す呼設定データ移管処理とは、例えば通常コードレス電話機１０Ａが紛失又は故障して、この通常コードレス電話機１０Ａの代わりに代替用コードレス電話機１０Ｂを使用する場合に、この通常コードレス電話機１０Ａの呼設定データを代替用コードレス電話機１０Ｂに移管することで、代替用コードレス電話機１０Ｂを通話接続可能にさせる処理である。
【００２５】
例えば通常コードレス電話機１０Ａが紛失又は故障して、この通常コードレス電話機１０Ａの代りに代替用コードレス電話機１０Ｂを使用する場合、代替用コードレス電話機１０Ｂのユーザは、移管設定用特番（＋暗証番号）＋移管対象の通常コードレス電話機１０Ａ（紛失又は故障した通常コードレス電話機１０Ａ）のダイヤル識別番号をダイヤル操作する。尚、代替用コードレス電話機１０Ｂは、この時点で無線基地局２０に対して通話接続はできないものの、無線基地局２０に対しては発信可能とし、これらダイヤル番号を発信できるものである。
【００２６】
図４において中央制御装置３４の特番判定部４１は、代替用コードレス電話機１０Ｂから移管設定用特番を検出したか否かを判定する（ステップＳ１１）。中央制御装置３４は、移管設定用特番を検出したのであれば、移管設定用暗証番号が設定済みであるか否かを判定する（ステップＳ１２）。尚、この移管設定用暗証番号が設定済みであるか否かは、メモリ部３３内に移管設定用暗証番号が登録されているか否かで判断することができる。
【００２７】
中央制御装置３４の暗証番号判定部４２は、移管設定用暗証番号が設定済みであれば、代替用コードレス電話機１０Ｂから暗証番号を検出し（ステップＳ１３）、この暗証番号が移管設定用暗証番号と合致するか否かを判定する（ステップＳ１４）。
【００２８】
中央制御装置３４のダイヤル識別番号検出部４３は、暗証番号が合致していると判定されると、代替用コードレス電話機１０から移管対象の通常コードレス電話機１０Ａを特定するダイヤル識別番号を検出する（ステップＳ１５）。尚、この移管対象の通常コードレス電話機１０Ａとは、本実施の形態の場合には紛失又は故障した通常コードレス電話機１０Ａに相当するものである。
【００２９】
さらに、ダイヤル識別番号検索部４４は、ダイヤル識別番号検出部４３にて移管対象の通常コードレス電話機１０Ａのダイヤル識別番号を検出すると、このダイヤル識別番号をメモリ部３３から検索し、その検索結果に基づいて同一ダイヤル識別番号がメモリ部３３内にあるか否かを判定する（ステップＳ１６）。
【００３０】
中央制御装置３４の制御部４５は、移管対象のダイヤル識別番号がメモリ部３３内にあると判定されると、このダイヤル識別番号の呼設定データ、つまり、移管対象の通常コードレス電話機１０Ａの呼設定データをメモリ部３３から読み出し、この呼設定データを代替用コードレス電話機１０Ｂに移管すべく、この呼設定データを代替用コードレス電話機１０Ｂの電話機識別番号に対応づけて記憶させるようにメモリ部３３を制御する呼設定データの移管動作を実行する（ステップＳ１７）。
【００３１】
この呼設定データの移管動作とは、例えば紛失又は故障した通常コードレス電話機１０Ａの呼設定データをメモリ部３３から読み出し、この呼設定データを代替用コードレス電話機１０Ｂの電話機識別番号に対応づけて移管記憶させる動作であり、図５（ａ）に示すように移管対象の通常コードレス電話機１０Ａの呼制御データは、移管後に電話機識別番号のみとなり、図５（ｂ）に示すように代替用コードレス電話機１０Ｂの呼制御データは、移管後に電話機識別番号の他に、移管対象の通常コードレス電話機１０Ａの呼設定データが移管されたことになる。つまり、移管後の代替用コードレス電話機１０Ｂは、呼設定データに基づいて通話接続が可能となることから通常コードレス電話機となり、移管後の通常コードレス電話機１０Ａは通話接続が不可能となることから代替用コードレス電話機となる。
【００３２】
さらに中央制御装置３４は、ステップＳ１７にて呼設定データの移管動作が完了すると、代替用コードレス電話機１０Ｂが通常コードレス電話機として使用可能になったことを通知すべく、この代替用コードレス電話機１０Ｂに対して登録完了音を出力することで（ステップＳ１８）、この処理動作を終了する。
【００３３】
また、ステップＳ１１にて移管設定用特番を検出したのでなければ、この処理動作を終了する。
【００３４】
また、ステップＳ１２にて移管設定用暗号番号が設定済みでなければ、暗証番号の検出動作を実行することなく、移管対象のダイヤル識別番号を検出すべく、ステップＳ１５に移行する。
【００３５】
また、ステップＳ１４にて暗証番号が移管設定用暗証番号と合致しなければ、移管ができない旨を代替用コードレス電話機１０Ｂのユーザに通知すべく、登録不可音を出力することで（ステップＳ１９）、この処理動作を終了する。
【００３６】
ステップＳ１６にて同一ダイヤル識別番号がなければ、移管ができない旨を代替用コードレス電話機１０Ｂのユーザに通知すべく、ステップＳ１９に移行し、この処理動作を終了する。
【００３７】
図４に示す呼設定データ移管処理によれば、例えば通常コードレス電話機１０Ａが紛失又は故障して、この通常コードレス電話機１０Ａの代りに代替用コードレス電話機１０Ｂを使用する場合、この代替用コードレス電話機１０Ｂのユーザは、この代替用コードレス電話機１０Ｂから移管設定用特番（＋暗証番号）＋移管対象のダイヤル識別番号をダイヤル操作するだけで、通常コードレス電話機１０Ａの呼設定データを代替用コードレス電話機１０Ｂにメモリ部３３上で移管するようにしたので、代替用コードレス電話機１０Ｂは、簡単なダイヤル操作で紛失又は故障した通常コードレス電話機１０Ａの呼設定内容で使用することができる。
【００３８】
尚、通常コードレス電話機１０Ａから代替用コードレス電話機１０Ｂ（現在使用中の通常コードレス電話機１０Ａ）に呼設定データを移管した後、紛失又は故障した通常コードレス電話機が復帰した場合、この復帰したコードレス電話機は現在代替用コードレス電話機であることから、この代替用コードレス電話機から移管設定用特番（＋暗証番号）＋移管対象の通常コードレス電話機のダイヤル識別番号をダイヤル操作するだけで、同復帰したコードレス電話機は元の呼設定内容に簡単に復帰することができる。
【００３９】
本実施の形態によれば、通常コードレス電話機１０Ａが紛失又は故障して、この通常コードレス電話機１０Ａの代りに代替用コードレス電話機１０Ｂを使用するにしても、この代替用コードレス電話機１０Ｂのユーザは、この代替用コードレス電話機１０Ｂから移管設定用特番（＋暗証番号）＋移管対象の通常コードレス電話機１０Ａのダイヤル識別番号をダイヤル操作するだけで、同紛失又は故障した通常コードレス電話機１０Ａの呼設定データを代替用コードレス電話機１０Ｂにメモリ部３３上で移管記憶することができるようにしたので、通常コードレス電話機１０Ａが故障又は紛失したとしても、簡単なダイヤル操作で紛失又は故障した通常コードレス電話機１０Ａの代りに、代替用コードレス電話機１０Ｂを使用することができる。
【００４０】
さらに本実施の形態によれば、移管対象の通常コードレス電話機１０Ａの呼設定データを代替用コードレス電話機１０Ｂの電話機識別番号に対応づけて移管記憶するようにしたので、移管対象の通常コードレス電話機１０Ａと同一の呼設定内容で代替用コードレス電話機１０Ｂを使用することができる。
【００４１】
尚、上記実施の形態においては、通常コードレス電話機１０Ａが故障又は紛失した場合を例にあげて通常コードレス電話機１０Ａの呼設定データを代替用コードレス電話機１０Ｂにメモリ部３３上で移管するようにしたが、通常コードレス電話機１０Ａが故障又は紛失しなくても、ユーザの好みに応じて代替用コードレス電話機１０Ｂを使用したい場合にも適用可能であることは言うまでもない。
【００４２】
【発明の効果】
上記のように構成された本発明のコードレス電話システムによれば、通話接続不可能なコードレス電話機からの特番及び移管対象の特定番号を検出すると、この特定番号に対応した通話接続可能なコードレス電話機の電話機識別番号を記憶手段から検索し、この検索した電話機識別番号に対応する呼設定データを読み出し、この呼設定データを、前記特番を発信した通話接続不可能なコードレス電話機の電話機識別番号に対応づけて移管記憶することで、前記特番発信した通話接続不可能なコードレス電話機を通話接続可能としたので、例えば通話接続可能なコードレス電話機が故障又は紛失したとしても、通話接続不可能なコードレス電話機、例えば代替用コードレス電話機から特番及び移管対象の特定番号を入力する簡単なダイヤル操作で、紛失又は故障したコードレス電話機の代りに、代替用コードレス電話機を使用することができる。
【００４３】
さらに本発明のコードレス電話システムによれば、移管対象の通話接続可能なコードレス電話機の呼設定データを、前記特番を発信したコードレス電話機の電話機識別番号に対応づけて移管記憶するようにしたので、移管対象のコードレス電話機と同一の呼設定内容で代替用コードレス電話機を使用することができる。
【図面の簡単な説明】
【図１】本発明における実施の形態を示すコードレス電話システム内部の概略構成を示すブロック図である。
【図２】本実施の形態に関わるコードレス電話機の呼制御データのデータ内容を示す説明図である。
【図３】本実施の形態に関わる構内交換機の中央制御装置内部の概略構成を示すブロック図である。
【図４】本実施の形態の呼設定データ移管設定処理に関わる中央制御装置の処理動作を示すフローチャートである。
【図５】本実施の形態の通常コードレス電話機及び代替用コードレス電話機の呼制御データの移管設定前及び移管設定後のデータ内容を示す説明図である。
【符号の説明】
１　コードレス電話システム
１０　コードレス電話機
１０Ａ　通常コードレス電話機（通話接続可能なコードレス電話機）
１０Ｂ　代替用コードレス電話機（通話接続不可能なコードレス電話機）
３３　メモリ部（記憶手段）
４１　特番判定部（特定番号検出手段）
４３　ダイヤル識別番号検出部（特定番号検出手段）
４４　ダイヤル識別番号検索部（検索手段）
４５　制御部（制御手段）
【図１】
2004023390.tif 000003
【図２】
2004023390.tif 000004
【図３】
2004023390.tif 000005
【図４】
2004023390.tif 000006
【図５】
2004023390.tif 000007